(57)【要約】      （修正有）【課題】被検眼の撮影画像を良好に得ることができる眼科撮影装置を提供する。【解決手段】ＳＬＯ（走査型レーザー検眼鏡）１は、赤外域の第１照明光と可視域の第２照明光と，を被検眼に同時に又は交互に照射する照射光学系１０と、第１照明光および第２照明光における，被検眼からの戻り光を受光する受光素子を1つ又は複数有する受光光学系２０と、制御部と、を有する。制御部は、受光素子から出力される信号に基づいて被検眼の画像を形成する。また、第１照明光の戻り光に基づいて形成される時系列の被検眼の画像を、観察画像としてモニタに表示する。観察画像が表示される間に、被検眼の画像をキャプチャ画像として取得するためのトリガとなるトリガ信号が出力され、トリガ信号の出力後，且つ，第２照明光の出力が安定した状態で、第２照明光の戻り光による被検眼の画像を、制御部は、キャプチャ画像として取得する。【選択図】図１
2017196302.tif 000002
【特許請求の範囲】
【請求項１】
光源から出射される，赤外域の第１照明光と可視域の第２照明光と，を被検眼に同時に又は交互に照射する照射光学系と、
前記第１照明光および前記第２照明光における，被検眼からの戻り光を受光する受光素子を1つ又は複数有する受光光学系と、
前記受光素子から出力される信号に基づいて被検眼の画像を形成する画像形成手段と、
前記第１照明光の戻り光に基づいて前記画像形成手段で形成される時系列の被検眼の画像を、観察画像としてモニタに表示する表示制御手段と、
前記観察画像が表示される間に、被検眼の画像をキャプチャ画像として取得するためのトリガとなるトリガ信号を出力するためのトリガ信号出力手段と、
前記トリガ信号の出力後，且つ，前記第２照明光の出力が安定した状態で、前記画像形成手段で形成される前記第２照明光の戻り光による被検眼の画像を、キャプチャ画像として取得する撮影制御手段と、を有する眼科撮影装置。
【請求項２】
前記撮影制御手段は、前記トリガ信号に基づいて、前記光源からの前記第２照明光の一時的な出力を開始させ、その後，出力の安定に要する第１期間が経過したタイミングを前記キャプチャ画像の取得開始タイミングとする請求項１記載の眼科撮影装置。
【請求項３】
前記光源は、前記第２照明光として少なくとも緑色のレーザー光を出射し、
前記第１期間は、前記緑色のレーザー光の出力開始から出力が安定するまでの期間を考慮して定められている請求項２記載の眼科撮影装置。
【請求項４】
前記照射光学系における前記光源と被検眼との間の光路において、前記第１および第２照明光が被検眼に照射可能な第１状態と、前記第１および第２照明光が照射されることを妨げる第２状態とに、に切り替えるための駆動部を有する請求項２又は３に記載の眼科撮影装置。
【請求項５】
前記撮影制御手段は、前記第１期間が少なくとも経過したタイミングにおいて、前記駆動部を制御して前記第１状態から前記第２状態へと切り替えさせる請求項２から４の何れかに記載の眼科撮影装置。
【請求項６】
前記駆動部は、前記照射光学系の光路中に配置される光スキャナであって、前記第１および第２照明光を被検眼の組織上で２次元的に走査するための光スキャナを駆動させ、
前記撮影制御手段は、
前記トリガ信号に基づいて、前記光スキャナを介した前記第２照明光が前記第１期間において被検眼に向かないように前記光スキャナの走査角度を変位してから前記第２照明光の一時的な出力を開始させ、
前記第１期間が少なくとも経過したタイミングにおいて、被検眼の画像を形成するために前記光スキャナを駆動させる請求項５記載の眼科撮影装置。
【請求項７】
前記駆動部は、遮光部材を、前記第１および第２照明光を遮光する遮光状態と、前記第１および第２照明光を通過させる通過状態とに、変移させ、
前記撮影制御手段は、
前記トリガ信号に基づいて、前記遮光部材を通過状態から遮光状態に変移してから前記第２照明光の一時的な出力を開始させ、
前記第１期間が少なくとも経過したタイミングにおいて、前記遮光部材を、通過状態に変移させる請求項５又は６記載の眼科撮影装置。
【請求項８】
前記照射光学系における前記光源と被検眼との間の光路上において、前記第１照明光が通過可能であり，且つ，前記第２照明光が遮光される第３状態と、少なくとも前記第２照明光が通過可能である第４状態と、に切り替えるための駆動部を有し、
前記撮影制御手段は、トリガ信号の出力前から予め第２照明光が点灯された状態で、前記トリガ信号に基づいて前記駆動部を駆動して前記第３状態から前記第４状態へと切り替え、その切り替後に形成される前記第２照明光の戻り光による被検眼の画像を、キャプチャ画像として取得する請求項１記載の眼科撮影装置。
【請求項９】
前記観察画像の表示期間内で撮影条件の調整完了に基づいて、前記トリガ信号の出力前から、前記光源からの第２照明光の出力を開始させる請求項８記載の眼科撮影装置。
【請求項１０】
前記撮影条件は、被検眼の画像に関するフォーカス，および，光学系と被検眼とのアライメントのうち少なくとも一方を含む請求項９記載の眼科撮影装置。
【請求項１１】
前記観察画像の表示期間内での操作部に入力される操作に基づいて、前記トリガ信号の出力前から、前記光源からの第２照明光の出力を開始させる請求項８記載の眼科撮影装置。
【請求項１２】
前記光源は、互いに異なる２つ以上の色の光を前記第２照明光として同時に出射し、
前記受光光学系は、同時に出射される前記第２照明光の色の数だけの受光素子を少なくとも持ち、更に、少なくとも２色の前記第２照明光に基づく戻り光を，色毎に異なる受光素子へ導くための波長分離部を持つ請求項１から１１のいずれかに記載の眼科撮影装置。
【請求項１３】
前記撮影制御手段は、前記各々の前記受光素子における互いに同一の期間での戻り光の受光結果に基づいて形成される複数の被検眼の画像を、キャプチャ画像として取得する請求項１２記載の眼科撮影装置。
【発明の詳細な説明】
【技術分野】
【０００１】
本開示は、眼科撮影装置に関する。
【背景技術】
【０００２】
被検眼の画像を撮影する眼科撮影装置が知られている。このような装置では、例えば、被検眼の観察画像を用いた装置のアライメントが行われた後、撮影のトリガ信号に基づいて、撮影用の照明光が出射され、その照明光に基づいて形成される被検眼の静止画または動画がキャプチャされる（例えば、特許文献１参照）。
【先行技術文献】
【特許文献】
【０００３】
【特許文献１】特開２００９−２１９６４４号公報
【発明の概要】
【発明が解決しようとする課題】
【０００４】
ところで、撮影用の照明光を、観察画像の取得および表示が行われる間、常に点灯しておくことは必ずしも好ましくない。しかし、光源によっては、照明光の出力が開始されてから出力が安定するまでの期間が長いものが存在する。かかる期間を考慮せずに、撮影用の照明光の出力開始後に形成される被検眼の画像は、画像における一部または全部の明るさが不足するおそれがある。
【０００５】
本開示は、上記従来技術の問題点に鑑みてなされたものであり、被検眼の撮影画像を良好に得ることができる眼科撮影装置を提供することを技術課題とする。
【課題を解決するための手段】
【０００６】
本開示の第１態様に係る眼科撮影装置は、光源から出射される，赤外域の第１照明光と可視域の第２照明光と，を被検眼に照射する照射光学系と、前記第１照明光および前記第２照明光における，被検眼からの戻り光を受光する受光素子を1つ又は複数有する受光光学系と、前記受光素子から出力される信号に基づいて被検眼の画像を形成する画像形成手段と、前記第１照明光の戻り光に基づいて前記画像形成手段で形成される時系列の被検眼の画像を、観察画像としてモニタに表示する表示制御手段と、前記観察画像が表示される間に、被検眼の画像をキャプチャ画像として取得するためのトリガとなるトリガ信号を出力するためのトリガ信号出力手段と、前記トリガ信号の出力後，且つ，前記第２照明光の出力が安定した状態で、前記画像形成手段で形成される前記第２照明光の戻り光による被検眼の画像を、キャプチャ画像として取得する撮影制御手段と、を有する。
【発明の効果】
【０００７】
本開示によれば、被検眼の撮影画像を良好に得ることができる。
【図面の簡単な説明】
【０００８】
【図１】ＳＬＯにおける光学系を示す図である。
【図２】ＳＬＯにおける制御系の一例を示す図である。
【図３】第１実施例におけるＳＬＯにおける動作の概要を示したタイミングチャートである。
【図４】第２実施例におけるＳＬＯにおける動作の概要を示したタイミングチャートである。
【図５】第３実施例におけるＳＬＯにおける動作の概要を示したタイミングチャートである。
【発明を実施するための形態】
【０００９】
以下、図面を参照しつつ、本開示の典型的な実施形態に係る走査型レーザー検眼鏡（Ｓｃａｎｎｉｎｇ  Ｌａｓｅｒ  Ｏｐｈｔｈａｌｍｏｓｃｏｐｅ：ＳＬＯ）を説明する。本開示における走査型レーザー検眼鏡（以下、「ＳＬＯ」と記す）１は、レーザー光を眼底上で走査し、眼底からのレーザー光の戻り光を受光することによって眼底の正面画像を取得する装置である。ＳＬＯ１の撮影手法として、眼底反射光を用いる撮影手法の他に、例えば、蛍光撮影の撮影手法が知られている。本開示に係る走査型レーザー検眼鏡は、光干渉断層計（ＯＣＴ：Ｏｐｔｉｃａｌ  Ｃｏｈｅｒｅｎｃｅ  Ｔｏｍｏｇｒａｐｈｙ）、視野計などの他の眼科装置と一体化された装置であってもよい。
【００１０】
なお、以下説明する実施形態では、特に断りが無い限り、ＳＬＯ１は、観察面上でスポット上に集光されるレーザー光を、走査部の動作に基づき，２次元的に走査することで眼底画像を得るものとする。但し、必ずしもこれに限られるものではない。例えば、いわゆるラインスキャンＳＬＯに対して本開示の技術が適用されてもよい。この場合、走査部の動作に基づいて、ライン状のレーザー光束が観察面上で一次元的に走査される。
【００１１】
＜本体側の光学構成＞
初めに、図１を参照して、ＳＬＯ１に設けられた光学系を説明する。図１に示すように、ＳＬＯ１は、照射光学系１０と、受光光学系２０と、を有する（まとめて、「撮影光学系」と称す）。ＳＬＯ１は、これらの光学系１０，２０を用いて眼底画像を撮影する。
【００１２】
照射光学系１０は、少なくとも走査部１６と、対物レンズ系１７と、を含む。また、図１に示すように、照射光学系１０は、更に、レーザー光出射部１１、コリメーティングレンズ１２、穴開きミラー１３、レンズ１４（本実施形態において、視度調節部４０の一部）、および、レンズ１５を有してもよい。
【００１３】
レーザー光出射部１１は、照射光学系１０の光源である。本実施形態では、レーザー光出射部１１からのレーザー光が、照射光学系１０から眼底Ｅｒへ照射される照明光として利用される。レーザー光出射部１１は、例えば、レーザーダイオード（LD）、および、スーパールミネッセントダイオード（SLD）等を含んでいてもよい。具体的な構造についての説明は省略するが、レーザー光出射部１１は、少なくとも１種類以上の波長域の光を出射する。本実施形態では、複数色の光が、同時に、又は選択的に、レーザー光出射部１１から出射されるものとする。例えば、本実施形態では、レーザー光出射部１１から、青，緑，赤の可視域の３色と、赤外域の１色と、の計４色の光が出射される。各色の光は、同時に、又は、交互に出射可能である。青，緑，赤の可視域の３色は、例えば、カラー撮影に利用される。例えば、光源１１から青，緑，赤の３色が実質的に同時に出射されることによって、カラー撮影が行われる。また、可視域の３色のうち、いずれか１色が、可視蛍光撮影に利用されてもよい。例えば、青色の光が、可視蛍光撮影の一種であるＦＡＧ撮影（フルオレセイン蛍光造影撮影）に利用されてもよい。また、例えば、緑色の光が、ＦＡＦ撮影（Fundus Auto-Fluorescence：自発蛍光）に利用されてもよい。つまり、眼底に蓄積された蛍光物質（例えば、リポフスチン）の励起光として利用されてもよい。また、例えば、赤外域の光は、赤外域の眼底反射光を用いる赤外撮影の他、赤外蛍光撮影に利用されてもよい。例えば、赤外蛍光撮影には、ＩＣＧ撮影（インドシアニングリーン蛍光造影撮影）が知られている。この場合、レーザー光源１１から出射される赤外光は、ＩＣＧ撮影で使用されるインドシアニングリーンの蛍光波長とは異なる波長域に設定されていることが好ましい。
【００１４】
レーザー光は、図１に示した光線の経路にて眼底Ｅｒに導かれる。つまり、レーザー光出射部１１からのレーザー光は、コリメーティングレンズ１２を経て穴開きミラー１３に形成された開口部を通り、レンズ１４およびレンズ１５を介した後、走査部１６に向かう。走査部１６によって反射されたレーザー光は、対物レンズ系１７を通過した後、被検眼Ｅの眼底Ｅｒに照射される。その結果、レーザー光は、眼底Ｅｒで反射・散乱される、或いは、眼底に存在する蛍光物質を励起させ、眼底からの蛍光を生じさせる。これらの光（つまり、反射・散乱光および蛍光等）が、戻り光として、瞳孔から出射される。
【００１５】
本実施形態において、図１に示すレンズ１４は、視度調節部４０の一部である。視度調節部４０は、被検眼Ｅの視度の誤差を矯正（軽減）するために利用される。例えば、レンズ１４は、駆動機構１４ａによって、照射光学系１０の光軸方向へ移動可能である。レンズ１４の位置に応じて、照射光学系１０および受光光学系２０の視度が変わる。このため、レンズ１４の位置が調節されることで、被検眼Ｅの視度の誤差が軽減され、その結果として、レーザー光の集光位置が、眼底Ｅｒの観察部位（例えば、網膜表面）に設定可能となる。なお、視度調節部４０は、例えば、バダール光学系など、図１とは異なる光学系が適用されてもよい。
【００１６】
走査部１６（「光スキャナ」ともいう）は、光源（レーザー光出射部１１）から発せられたレーザー光を、眼底上で走査するためのユニットである。以下の説明では、特に断りが無い限り、走査部１６は、レーザー光の走査方向が互いに異なる２つの光スキャナを含むものとする。即ち、主走査用（例えば、Ｘ方向への走査用）の光スキャナ１６ａと、副走査用（例えば、Ｙ方向への走査用）の光スキャナ１６ｂと、を含む。以下では、主走査用の光スキャナ１６ａはレゾナントスキャナであり、副走査用の光スキャナ１６ｂはガルバノミラーであるものとして、実施例（図３，４，５参照）を説明する。但し、各光スキャナ１６ａ，１６ｂには、他の光スキャナが適用されてもよい。例えば、各光スキャナ１６ａ，１６ｂに対し、他の反射ミラー（ガルバノミラー、ポリゴンミラー、レゾナントスキャナ、および、ＭＥＭＳ等）の他、光の進行（偏向）方向を変化させる音響光学素子（ＡＯＭ）等が適用されてもよい。なお、走査部１６は、必ずしも複数の光スキャナである必要はなく、１つの光スキャナであってもよい。２次元的にレーザー光を走査する単一の光スキャナとしては、例えば、ＭＥＭＳデバイス、及び、音響光学素子（ＡＯＭ）等のいずれかを利用したものが提案されている。なお、いずれの光スキャナにおいても、光の進行方向を変化させる光学素子と、その光学素子を駆動させるための駆動部（ドライバ）と、が含まれる。
【００１７】
光スキャナ１６ａ，１６ｂのうち少なくとも一つは、レーザー光が照射光路から外れるように、レーザー光を偏向可能であってもよい。ここでいう「レーザー光が照射光路から外れる」場合には、レーザー光は、被検眼Ｅへ照射されなくなる。
【００１８】
対物レンズ系１７は、ＳＬＯ１の対物光学系である。対物レンズ系１７は、走査部１６によって走査されるレーザー光を、眼底Ｅｒに導くために利用される。そのために、対物レンズ系１７は、走査部１６を経たレーザー光が旋回される旋回点Ｐを形成する。旋回点Ｐは、照射光学系１０の光軸Ｌ１上であって、対物レンズ系１７に関して走査部１６と光学的に共役な位置に形成される。なお、本開示において「共役」とは、必ずしも完全な共役関係に限定されるものではなく、「略共役」を含むものとする。即ち、眼底画像の利用目的（例えば、観察、解析等）との関係で許容される範囲で、完全な共役位置からズレて配置される場合も、本開示における「共役」に含まれる。但し、ＳＬＯ１の対物光学系は、レンズ系に限定されるものではなく、ミラー系であってもよいし、レンズ系とミラー系とを組み合わせたものでもあってもよいし、その他の光学系であってもよい。
【００１９】
走査部１６を経たレーザー光は、対物レンズ系１７を通過することによって、旋回点Ｐを経て、眼底Ｅｒに照射される。このため、対物レンズ系１７を通過したレーザー光は、走査部１６の動作に伴って旋回点Ｐを中心に旋回される。その結果として、本実施形態では、眼底Ｅｒ上でレーザー光が２次元的に走査される。眼底Ｅｒに照射されたレーザー光は、集光位置（例えば、網膜表面）にて反射される。また、レーザー光は、集光位置の前後の組織にて散乱される。反射光および散乱光は、平行光としてそれぞれ瞳孔から出射する。
【００２０】
ＳＬＯ１は、レーザー光出射部１１と被検眼Ｅとの間の光路上（換言すれば、照射光学系１０の光路上）において、各色のレーザー光が被検眼に照射可能な第１状態と、各色のレーザー光が照射されることを妨げる第２状態とに、に切り替えるための駆動部（ドライバ）を備えてもよい。駆動部は、種々の具体例が考えられる。例えば、被検眼Ｅに対してレーザー光を走査するための光スキャナにおける駆動部であってもよい。また、照射光学系１０のレーザー光の光路中に配置される遮光部材（例えば、シャッター）の駆動部であってもよい。勿論、これら以外であってもよい。以下の説明においては、シャッターユニット４５と、光スキャナ１６とのうち、少なくとも一方において、第１状態と第２状態との切換動作が実現される場合を例示する。
【００２１】
なお、図１に示すシャッターユニット４５は、遮光部材（以下、「シャッター」ともいう）４６と、駆動部４７と、を有する。駆動部４７は、照射光学系１０の光路に対して遮光部材４６を挿脱させる。このようなシャッターユニット４５は、ＳＬＯ１の動作中において、外部に（主には、被検眼に対して）不用意にレーザー光が照射されることを抑制するために利用される。シャッターユニット４６としては、シャッター自体が移動するデバイス（図１参照）に限られるものでない。例えば、液晶シャッターのように、シャッター自体の移動を必要としないデバイスであってもよい。
【００２２】
本実施形態において、遮光部材４６は、照射光学系１０の光路に挿入されることによって、レーザー光出射部１１から出射される全ての波長域の光を遮光するものとして説明する。但し、必ずしもこれに限られるものではない。例えば、シャッターユニットは、例えば、光源ユニット１１内に、色毎に、設けられていてもよい。なお、本実施形態のように、光源ユニット１１の外部にシャッターユニット４５を配置する場合は、照射光学１０の独立光路（例えば、図１における、光源ユニット１１と、穴開きミラー１３との間）において遮光部材４６が挿脱されることが好ましい。
【００２３】
次に、受光光学系２０について説明する。受光光学系２０は、１つ又は複数の受光素子を持つ。例えば、図１に示すように、複数の受光素子２５，２７，２９を有してもよい。この場合、照射光学系１０によって照射されたレーザー光による眼底Ｅｒからの光は、受光素子２５，２７，２９によって受光される。
【００２４】
図１に示すように、本実施形態における受光光学系２０は、対物レンズ系１７から穴開きミラー１３までに配置された各部材を、照射光学系１０と共用してもよい。この場合、眼底からの光は、照射光学系１０の光路を遡って、穴開きミラー（本実施形態における光路分岐部材）１３まで導かれる。穴開きミラー１３は、被検眼の角膜，および，装置内部の光学系（例えば対物レンズ系のレンズ面等）での反射によるノイズ光の少なくとも一部を取り除きつつ、眼底Ｅｒからの光を、受光光学系２０の独立光路へ導く。
【００２５】
なお、照射光学系１０と受光光学系２０とを分岐させる光路分岐部材は、穴開きミラー１３に限られるものではなく、その他のビームスプリッターが利用されてもよい。
【００２６】
受光光学系２０は、穴開きミラー１３の反射光路に、レンズ２１、ピンホール板２３、および、光分離部（光分離ユニット）３０を有する。また、光分離部３０と各受光素子２５，２７，２９との間に、レンズ２４，２６，２８が設けられている。
【００２７】
ピンホール板２３は、眼底共役面に配置されており、ＳＬＯ１における共焦点絞りとして機能する。すなわち、視度調節部４０によって視度が適正に補正される場合において、レンズ２１を通過した眼底Ｅｒからの光は、ピンホール板２３の開口において焦点を結ぶ。ピンホール板２３によって、眼底Ｅｒの集光点（あるいは、焦点面）以外の位置からの光が取り除かれ、残り（集光点からの光）が主に受光素子２５，２７，２９へ導かれる。
【００２８】
光分離部３０は、眼底Ｅｒからの光を分離させる。本実施形態では、光分離部３０によって、眼底Ｅｒからの光が波長選択的に光分離される。また、光分離部３０は、受光光学系２０の光路を分岐させる光分岐部を兼用していてもよい。例えば、図１に示すように、光分離部３０は、光分離特性（波長分離特性）が互いに異なる２つのダイクロイックミラー（ダイクロイックフィルター）３１，３２を含んでいてもよい。受光光学系２０の光路は、２つのダイクロイックミラー３１，３２によって、３つに分岐される。また、それぞれの分岐光路の先には、受光素子２５，２７，２９の１つがそれぞれ配置される。
【００２９】
例えば、光分離部３０は、眼底Ｅｒからの光の波長を分離させ、３つの受光素子２５，２７，２９に、互いに異なる波長域の光を受光させる。例えば、青，緑，赤の３色の光を、受光素子２５，２７，２９に１色ずつ受光させてもよい。この場合、各受光素子２５，２７，２９の受光結果から、カラー画像を容易に得ることができる。
【００３０】
また、光分離部３０は、赤外撮影で使用される赤外域の光を、受光素子２５，２７，２９の少なくとも１つに受光させてもよい。この場合において、例えば、蛍光撮影で使用される蛍光と、赤外撮影で使用される赤外域の光とが、互いに異なる受光素子に受光されてもよい。
【００３１】
各受光素子２５，２７，２９が感度を持つ波長帯は、互いに異なっていてもよい。また、受光素子２５，２７，２９のうち、少なくとも２つが、共通の波長域に感度を持っていてもよい。それぞれの受光素子２５，２７，２９は、受光した光の強度に応じた信号（以下、受光信号と称す）をそれぞれ出力する。本実施形態において、受光信号は、受光素子毎に別々に処理されて画像が生成される。つまり、本実施形態では、最大で３種類の眼底画像が、並行して生成される。
【００３２】
＜制御系の構成＞
次に、図２を参照して、ＳＬＯ１の制御系を説明する。ＳＬＯ１は、制御部７０によっての各部の制御が行われる。制御部７０は、ＳＬＯ１の各部の制御処理と、演算処理とを行う電子回路を有する処理装置（プロセッサ）である。制御部７０は、ＣＰＵ（Ｃｅｎｔｒａｌ  Ｐｒｏｃｅｓｓｉｎｇ  Ｕｎｉｔ）およびメモリ等で実現される。制御部７０は、記憶部７１と、バス等を介して電気的に接続されている。また、制御部７０は、レーザー光出射部１１、受光素子２５，２７，２９、駆動部１４ａ，４６ａ、走査部１６、入力インターフェイス７５、およびモニタ８０等の各部とも電気的に接続されている。
【００３３】
記憶部７１には、各種の制御プログラムおよび固定データ等が格納される。また、記憶部７１には、一時データ等が記憶されてもよい。ＳＬＯ１で得られた画像は、記憶部７１に記憶されていてもよい。但し、必ずしもこれに限られるものではなく、外部の記憶装置（例えば、ＬＡＮおよびＷＡＮで制御部７０に接続される記憶装置）へＳＬＯ１で得られた画像が記憶されてもよい。
【００３４】
便宜上、本実施形態では、制御部７０が画像処理部（画像形成部）を兼用するものとする。例えば、受光素子２５，２７，２９から出力される受光信号を基に、制御部７０が眼底画像を形成する。より詳細には、制御部７０は、走査部１６による光走査と同期して眼底画像を形成する。例えば、制御部７０は、副走査用の光スキャナ１６ｂがｎ回（ｎは、１以上の整数）往復する度に、少なくとも１フレーム（換言すれば、１枚）の眼底画像を、（受光素子毎に）形成する。なお、以下では、特段の断りが無い限り、便宜上、副走査用の光スキャナ１６ｂの１往復につき、その１往復に基づく１フレームの眼底画像が形成されるものとする。本実施形態では、３つの受光素子２５，２７，２９が設けられているので、制御部７０は、それぞれの受光素子２５，２７，２９からの信号に基づく最大３種類の画像が、副走査用の光スキャナ１６ｂが１往復する度に生成される。
【００３５】
制御部７０は、上記のような装置の動作に基づいて逐次形成される複数フレームの眼底画像を、観察画像として時系列にモニタ８０へ表示させてもよい。観察画像は、略リアルタイムに取得された眼底画像からなる動画像である。また、制御部７０は、逐次形成される複数の眼底画像のうち一部を、撮影画像（キャプチャ画像）として取り込む（キャプチャする）。その際、撮影画像は記憶媒体に記憶される。撮影画像が記憶される記憶媒体は、不揮発性の記憶媒体（例えば、ハードディスク，フラッシュメモリ等）であってもよい。本実施形態では、例えば、トリガ信号（例えば、レリーズ操作信号等）の出力後、所定のタイミング（又は，期間）に形成される眼底画像がキャプチャされる。より詳細については、図３以下を参照して後述する。
【００３６】
また、本実施形態では、眼底画像の形成だけでなく、眼底画像に対する画像処理（画像の加工、解析等）についても、制御部７０によって行われる。なお、画像処理部は、必ずしも制御部７０である必要はなく、制御部７０とは別体の装置であってもよい。
【００３７】
入力インターフェイス７５は、検者の操作を受け付ける操作部である。例えば、タッチパネル、マウス、および、キーボード等が、入力インターフェイス７５として利用されてもよい。このような入力インターフェイス７５は、ＳＬＯ１とは別体のデバイスであってもよい。制御部７０は、入力インターフェイス７５（操作部）から出力される操作信号に基づいて、上記の各部材を制御する。入力インターフェイス７５には、例えば、レリーズのための操作が入力されてもよい。レリーズのための操作が入力される場合、入力インターフェイス７５は、制御部７０に対してレリーズ操作信号を発する。これによって、制御部７０からトリガ信号が各部へ出力され、撮影動作が行われる。撮影動作の結果として、ＳＬＯ１において撮影画像がキャプチャされる。本実施形態では、レリーズ操作信号の出力タイミングと、トリガ信号の出力タイミングとは、略同時であるものとする。また、トリガ信号の出力契機は、必ずしも、検者によるレリーズ操作である必要は無い。例えば、ＳＬＯ１の実施例として、制御部７０がアライメント状態を観察画像に基づいて自動的に検出し、適正アライメント状態が検出された際に、自動的に撮影動作を行うものも考えられる。この場合、例えば、適正アライメント状態の検出を契機として、制御部７０からトリガ信号が発せられてもよい（換言すれば、レリーズが行われてもよい）。
【００３８】
＜動作説明＞
次に、図３〜図５のタイミングチャートを参照して、撮影動作の実施例を説明する。ここでは、具体例として、赤，緑，青の３色の撮影画像を取得する動作を示す。まず、図３〜図５において共通する、各チャートの概要を説明する。
【００３９】
『１．動作』は、ＳＬＯ１における動作の内容（又は、種別）を示している。「アライメント」の期間では、制御部７０は、モニタ８０へ観察画像を表示させる。また、「アライメント」の期間は、観察画像を利用して、被検眼Ｅに対する装置の位置合わせ（つまり、アライメント）のために利用されてもよい。また、観察画像は、視度調節部４０による視度補正のために利用されてもよい。この場合、例えば、制御部７０は、駆動機構１４ａを制御して画像のぼけが軽減されるように視度補正を行う。「撮影」の期間では、制御部７０によって、撮影画像を取得するための処理が実行される。撮影画像は、この期間内の受光結果に基づいて形成される。また、本実施形態では、レリーズ（Ｒｅｌｅａｓｅ）のタイミングで、「アライメント」から「撮影」へ切り替えられる。
【００４０】
『２．レーザ（ＩＲ）』に関するチャートは、本実施形態における観察用の照明光の出力状態を示す。具体例として、赤外光の出力状態が図示されている。ＯＮ状態では、レーザー光出射部１１から観察用の照明光（ここでは、赤外光）が継続して出射される。一方、ＯＦＦ状態では、レーザー光出射部１１から観察用の照明光は出射されない。観察用の照明光の出力状態は、「アライメント」と「撮影」との切換えに連動して切換わる。
【００４１】
『３．レーザー（Ｒ，Ｇ，Ｂ）』に関するチャートは、本実施形態における撮影用の照明光の出力状態を示す。具体例として、赤，緑，青の３色のレーザーにおける出力状態を示すチャートである。ＯＮ状態では、レーザー光出射部１１から撮影用の照明光（ここでは、赤，緑，青の３色）が継続して出射される。一方、ＯＦＦ状態のとき、レーザー光出射部１１から撮影用の照明光は出射されない。例えば、撮影用の照明光と対応する光源への電力供給の有無が制御されることによって、ＯＮ状態とＯＦＦ状態とが切換えられる。本実施形態では、レリーズの後、所定の期間だけ、撮影用の照明光はＯＮ状態となる。また、撮影用の照明光の出力完了（ＯＮからＯＦＦへの切換）に伴って、撮影動作は完了される。なお、赤，緑，青の３色のレーザーは、本実施形態では同時に出射される。
【００４２】
ところで、必ずしも、レーザー光の出力開始から、直ちに十分な光量が出力されるようになる，又は，直ちに出力が安定する、とは限らない。例えば、現状、赤外光のレーザー，赤色のレーザー，および，青色のレーザーと比べて、緑色のレーザーは、出力開始から出力が安定するまでの期間を短縮し難いことが知られている。例えば、緑色のレーザー光源では、電力の供給が開始されてから、所望の出力で安定するまでに数十ミリ秒（より詳細には、３０ミリ秒〜４０ミリ秒程度）を必要とすることが、本発明者において確認された。その間の受光結果に基づいて形成される画像では、副走査方向の位置に応じて、明るさが大きく異なってしまう。
【００４３】
これに対し、本実施形態の制御部７０は、トリガ信号の出力に基づいて撮影用の照明光の出射が開始されてから一定の期間（本実施形態における「第１期間」）が経過した後のタイミングを、キャプチャ画像の取得開始タイミング（例えば、キャップチャの開始タイミング）としている。ここでいう「一定の期間」は、タイミングチャートにおいてwaiting timeとして示されている。なお、waiting timeは、撮影用の照明光の出射が開始されてから安定するまでの期間以上の長さに設定されている。例えば、緑色のレーザー光の出力開始から出力が安定するまでに要する時間を考慮して定められていてもよい。例えば、５０ミリ秒程度であってもよい。このような撮影動作によって、レリーズに基づいて撮影用の照明光を光源から出力し始めても、良好な撮影画像を比較的短時間で得ることができる。
【００４４】
『４．シャッター』に関するチャートは、遮光部材（以下、「シャッター」ともいう）４６の開閉状態を示す。ＣＬＯＳＥ状態では、撮影用の照明光を遮光するために、遮光部材が、光源と被検眼Ｅとの間に挿入される。ＯＰＥＮ状態では、遮光部材が退避されることにより、撮影用の照明光が被検眼Ｅに対して照射され得る状態となる。
【００４５】
『５．レゾナントＯＮ／ＯＦＦ』に関するチャートは、レゾナントスキャナ（主走査用の光スキャナ１６ｂの具体例）の動作が有効であるか否かを示している。ＯＮ状態では、レゾナントスキャナは動作され、ＯＦＦ状態では、レゾナントスキャナは停止される。本実施形態において、レゾナントスキャナは、常にＯＮ状態に設定されている。
【００４６】
『６．ガルバノＯＮ／ＯＦＦ』に関するチャートは、ガルバノミラーの動作が有効であるか否かを示している。ＯＮ状態では、ガルバノミラーは動作され、ＯＦＦ状態では、ガルバノミラーは停止される。
【００４７】
『７．ガルバノ波形』に関するチャートは、ガルバノミラーにおける往復動作の状態を示している。ここでは、入力に対し、リニアに変位するデバイスが想定されている。波形は、ガルバノミラーの変位量と、入力波（本実施形態では、三角波）との両方を示している。図３〜図５において、各三角波における長い直線部分が往路での走査を示しており、短い直線部分が復路での走査を示している。本実施形態において、ガルバノミラーは、一定の振り角（走査範囲）で往復される。また、本実施形態では、ガルバノミラーが一往復する毎に、制御部７０は、受光素子毎に１フレームずつの眼底画像を形成可能である。本実施形態では、３つの受光素子２５，２７，２９を有しているので、ガルバノミラーが往復走査される度に、最大３枚の眼底画像が形成される。このように、本実施形態の制御部７０は、各々の受光素子２５，２７，２９からの信号に基づいて形成される複数の被検眼の画像であって、互いに同一の期間での戻り光の受光結果に基づいて形成される複数の被検眼の画像（ここでは、眼底画像）を、それぞれキャプチャすることができる。複数の受光素子２５，２７，２９による同一の期間での戻り光の受光結果に基づく上記複数の画像は、更に、制御部７０によって、１枚に合成されてもよい。例えば、赤，緑，青の反射光にそれぞれ基づく３枚の眼底画像を合成して、カラー眼底画像を形成してもよい。
【００４８】
本実施形態において、ガルバノミラーの走査範囲は、説明の便宜上、第１範囲Ａ（有効範囲ともいう）と、第２範囲Ｂ（退避範囲ともいう）と、に大別される。第１範囲Ａは、被検眼にレーザー光が照射される経路である照射経路中にレーザー光が偏向される振れ角の範囲である。第２範囲Ｂは、レーザー光が照射経路外に偏向される振れ角の範囲である。本実施形態では、ガルバノミラーの走査範囲における折り返しの位置が、少なくとも第２範囲Ｂに含まれている。より具体的には、往路と復路の折り返し位置，復路と往路の折り返し位置，の両方が第２範囲Ｂに含まれている。また、２つの第２範囲Ｂの中間部分が、第１範囲Ａである。本実施形態では、眼底画像を得るためのガルバノミラーの走査範囲に、第２範囲が含まれているものしたが、必ずしもこれに限られるものではない。例えば、ガルバノミラーは、通常、第１範囲内で往復動作が行われ、レリーズの際等の特定の機会にだけ、第２範囲に走査角度が変位されてもよい。
【００４９】
＜第１実施例＞
第１実施例では、シャッターは、常に開放されている。また、第１実施例では、レリーズ後、ガルバノミラーの走査角度が第２範囲に変位された状態で、少なくとも撮影用の照明光（ここでは、赤，緑，青のレーザー光）の出力が安定するために必要な一定の期間だけ待機される。つまり、ガルバノミラーの動作は、第２範囲において一時的に停止される。一例として、図３では、レリーズのタイミングで実行されている往復動作の終了を待ってから、ガルバノミラーは停止される。
【００５０】
また、ガルバノミラーの停止と同期して、観察用のレーザー光はＯＦＦ状態に設定される（つまり、出力が停止される）。例えば、ガルバノミラーの駆動部（図示せず）から，往復動作の終了タイミングで出力される信号に基づいて、レーザー光がＯＦＦ状態に設定されてもよい。その後、撮影用のレーザーの出力が開始される。なお、撮影用のレーザーの出力が開始されるタイミングは、観察用のレーザーが停止されるタイミングと略同時であってもよい。即ち、若干後であってもよいし（図５参照）、完全に同時であってもよい。
【００５１】
撮影用の照明光の出力が開始されてから、一定期間（waiting time）の経過後に、ガルバノミラーによる走査が行われる。図３では、（三角波の入力による）１フレーム分の走査が行われる。制御部７０は、この走査によって形成される眼底画像を、撮影画像としてキャプチャする。
【００５２】
１フレーム分の走査完了後、ガルバノミラーは第２範囲において、再度、一時的に停止される。また、ガルバノミラーの停止に同期して、撮影用の照明光の出射は停止される。その後、制御部７０は、観察用の照明光の出射を開始させると共に、ガルバノミラーの往復動作を開始させ、随時、観察画像を取得する。
【００５３】
第１実施例では、撮影用の照明光の出力が開始されてから，少なくとも出力が安定するために要する期間よりも長い一定の期間（waiting time）が経過するまでの間、ガルバノミラーが第２範囲にて停止される。これによって、不用意に撮影用の照明光が被検眼に照射されてしまうことが抑制される。実施例において、撮影用の照明光は可視光であるので、撮影光による眩しさを被検者に与えにくくなる。また、縮瞳が抑制される。但し、縮瞳を抑制することは、多数のフレーム数の画像を、一度の撮影動作で取得するような場合に、特に有用である。
【００５４】
＜第２実施例＞
第２実施例では、第１実施例にて示した撮影に伴うガルバノミラーの制御部に加え、更に、シャッター機構４５が制御される。具体的には、アライメントの際には開放されていたシャッターが、レリーズに基づいて閉鎖される。
【００５５】
その後、シャッターは、撮影用の光の出力が開始されてから一定の期間（waiting time）が少なくとも経過したタイミングにおいて開放される。このタイミングは、例えば、レリーズに基づいて一時的に停止されていたガルバノミラーの往復動作が再開されるタイミングと同期してもよい。これにより、第２実施例では、不用意に撮影用の照明光が被検眼に照射されてしまうことが、シャッターによっても抑制される。また、撮影完了時に、シャッターが、再度、一時的に閉鎖されてもよい。このときの開閉のタイミングに関しても、ガルバノミラーにおけるＯＮ／ＯＦＦの状態と同期してもよい。
【００５６】
＜第３実施例＞
第３実施例では、ガルバノミラーの往復動作が、レリーズに関わらず、絶えず繰り返される。また、シャッター機構４５が制御されることで、不用意に撮影用の照明光が被検眼に照射されてしまうこと等が抑制される。この場合、ガルバノミラーの周期に同期して、シャッターの開閉が制御される。
【００５７】
以上、実施形態に基づいて説明を行ったが、本開示を実施するうえで、実施形態の内容を適宜変更することができる。
【００５８】
例えば、上記実施形態では、撮影画像（キャプチャ画像）として設定、および、保存される画像（つまり、キャプチャされる画像）を、撮影動作の際に制御部７０が決定したが、必ずしもこれに限られるものではない。例えば、事後的に、撮影画像として設定、および、保存される画像を、制御部７０が決定してもよい。
【００５９】
また、例えば、上記実施形態では、トリガ信号の出力後に、撮影用の照明光の出力が開始されたが、トリガ信号が出力される前に、予め撮影用の照明光の出力が開始されていてもよい。この場合、トリガ信号の出力後に、撮影用の光の出力を安定させるための待ち時間を設ける必要がなくなる。この場合、照射光学系１０における光源（例えば、レーザー光出射部１１）と被検眼Ｅとの間の光路上において、観察用の照明光が通過され，且つ，撮影用の照明光が遮光される第３状態と、少なくとも撮影用の照明光が通過される第４状態と、に切り替えるための駆動部が、ＳＬＯ１に設けられていてもよい。具体例としては、図１に示すフィルタ４６が、撮影用の照明光を遮光し、観察用の照明光を透過するフィルタに置き換えることで、駆動部４７が、第３状態と第４状態とに切り替えるための駆動部として利用され得る。この場合、フィルタを挿入したまま、観察画像を得ることができるようになる。なお、第４状態において、観察用の照明光は、遮光されてもよい。
【００６０】
このような駆動部とフィルタを用いた撮影動作の概要を説明する。トリガ信号の出力前から予め撮影用の照明光を点灯するためには、例えば、第３状態での観察画像の表示期間内から、撮影用の照明光の出力を開始しておくことが考えられる。第３状態において、常時、撮影用の照明光は点灯されていてもよいが、電力消費の観点等から、常時点灯は好ましくない。そこで、例えば、観察画像の表示期間内で撮影条件の調整完了、又は、撮影用の照明光を点灯させるための検者による操作、のいずれかに基づいて、撮影用の照明光の出力が開始されてもよい。調整される撮影条件としては、例えば、視度、光学系と被検眼とのアライメント、被検眼の画像に関するフォーカス、のうち、少なくとも１つであってもよい。撮影条件の調整完了は、自動的に検出されてもよいし、調整完了に伴う操作部への操作によって、手動で入力されてもよい。撮影条件の調整完了によって、トリガ信号の出力前から、撮影用の照明光の出力が開始されてもよい。そして、制御部７０は、撮影用の照明光の出力が開始されている状態で、トリガ信号に基づいて駆動部を駆動して第３状態から第４状態へと切り替る。その切り替後に形成される第２照明光の戻り光による被検眼の画像を、キャプチャ画像として取得（設定、および、保存）する。
【００６１】
また、例えば、上記実施形態では、眼科撮影装置としてＳＬＯを例示したが、必ずしもこれに限られるものではない。例えば、上記実施形態では、撮影光の照明光として、可視域の光である赤，緑，青の３色が同時に被検眼に照射される場合について説明したが、必ずしもこれに限られるものではない。例えば、照明光には、赤外域が含まれていてもよい。例えば、受光光学系に適宜フィルタを挿入したうえで、赤外域の光と、可視域の光とを同時に照射することで、可視蛍光による撮影画像と、赤外光の反射による撮影画像とを同時に取得することができる。これによれば、可視蛍光による撮影画像と対応する眼底の位置を、赤外光の反射による撮影画像を参照して確認することができる。例えば、緑色の光と、赤外域の光とを、撮影用の照明光として同時に出射することによって、緑色の光を励起光とする眼底の自発蛍光画像と、赤外光の反射による眼底画像とを、同時に撮影してもよい。
【００６２】
また、例えば、ＳＬＯ以外の眼科撮影装置（具体例としては、眼底カメラ、光断層像撮影装置、前眼部撮影装置等）に、上記実施形態に開示された技術が適用されてもよい。
【符号の説明】
【００６３】
１      ＳＬＯ
１０    照射光学系
１１    レーザー光出射部
１６    走査部
１６ｂ  ガルバノミラー
２０    受光光学系
２５，２７，２９  受光素子
４５    シャッターユニット
４７    駆動部
７０    制御部
７１    記憶部
【図１】
2017196302.tif 000003
【図２】
2017196302.tif 000004
【図３】
2017196302.tif 000005
【図４】
2017196302.tif 000006
【図５】
2017196302.tif 000007